(57)【要約】【課題】容易に複数の釣り竿を保持できる釣り竿保持具を提供することである。【解決手段】保持具本体１が可撓性を有する合成樹脂や皮革で形成された細長い板体２の内面に板体２より軟らかい板体２と同形の保護材３が貼着されている。  保持具本体１の板体２は、一端側２ａより他端側２ｂが内側を向いて途中がＵ字状に湾曲して湾曲部２ｃが形成されて湾曲部２ｃの対向側の開口が釣り竿挿入口ａとなり、保護材３は発泡ウレタンなどの発泡合成樹脂、クロロプレンゴムなどの発泡ゴム等で形成され、保持具本体１の板体２の一端側２ａの内側となる保護材３の内側にはオスの面貼着材４が固定され、保持具本体１の板体２の他端側２ｂの外側にはメスの面貼着材５が固定され、保持具本体１の板体２と保護材３の適所には釣り竿の釣糸ガイドを外側に突出させる為の挿通孔１ａが穿設されている。【選択図】    図１
2010193867.tif 000002
【特許請求の範囲】
【請求項１】
可撓性を有する板体の内面に前記板体より軟らかい保護材を貼着し、釣り竿挿入口を有するＵ字状に湾曲形成した保持具本体の前記釣り竿挿入口を介した一端側の内側と他端側の外側に互いに係合可能な面貼着材を設けたことを特徴とする釣り竿保持具。
【請求項２】
保持具本体は、一端側より他端側が内側を向いて湾曲形成されていることを特徴とする請求項１記載の釣り竿保持具。
【請求項３】
保持具本体は、釣り竿のガイドの挿通孔を有することを特徴とする請求項１又は２に記載の釣り竿保持具。
【発明の詳細な説明】
【技術分野】
【０００１】
本発明は、釣り竿を束ねて保持する釣り竿保持具に関する。
【背景技術】
【０００２】
従来は、複数の釣り竿を保持するためにゴム製のベルトを使用していた。
ゴム製のベルトで釣り竿を保持するときは、特許文献１のように、複数の釣り竿を束にした状態に手で押えながらその回りにゴム製のベルトを巻き付けていた。
しかし、ゴム製のベルトの巻き付けは、束ねて持った釣り竿の束を回しながら行うか、または、釣り人が束ねた釣り竿の周りを回りながら行わなくてはならず、手間が掛かった。
【特許文献１】特開平９−２９９００８号公報
【発明の概要】
【発明が解決しようとする課題】
【０００３】
解決しようとする問題点は、従来の釣り竿保持具のゴム製のベルトの巻き付けは、束ねて持った釣り竿の束を回しながら行うか、または、釣り人が束ねた釣り竿の周りを回りながら行わなくてはならず、手間が掛かることである。
【０００４】
本発明の目的は前記欠点に鑑み、容易に複数の釣り竿を保持できる釣り竿保持具を提供することである。
【課題を解決するための手段】
【０００５】
本発明の請求項１は、可撓性を有する板体の内面に前記板体より軟らかい保護材を貼着し、釣り竿挿入口を有するＵ字状に湾曲形成した保持具本体の前記釣り竿挿入口を介した一端側の内側と他端側の外側に互いに係合可能な面貼着材を設けたことを要旨とするものである。
本発明の請求項２は、保持具本体は、一端側より他端側が内側を向いて湾曲形成されていることを要旨とするものである。
本発明の請求項３は、保持具本体は、釣り竿のガイドの挿通孔を有することを要旨とするものである。
【発明の効果】
【０００６】
本発明の請求項により、釣り竿挿入口から束にした複数の釣り竿を挿入して釣り竿保持具を外側から握持するだけで複数の釣り竿を容易にまとめて保持出来る。
釣り竿保持具は一端側より他端側が内側を向いて湾曲形成されているため、釣り竿保持具の両端が突き当たらずに、釣り竿に巻き付いて容易に取り付けることが出来る。
保持具本体は釣り竿の釣糸ガイドの挿通孔を有しているため、釣り竿への取り付け時に釣り竿の釣糸ガイドの挿通孔に釣糸ガイドを挿通することで移動が規制でき確実に釣り竿を保持できる。
【産業上の利用可能性】
【０００７】
本発明は釣り竿保持具全般に利用できる。
【図面の簡単な説明】
【０００８】
【図１】釣り竿が釣り竿保持具で束ねられた斜視図である。
【図２】釣り竿保持具の斜視図である。
【図３】釣り竿保持具の拡大平面図である。
【発明を実施するための最良の形態】
【０００９】
釣り竿保持具は、保持具本体１が可撓性を有する合成樹脂や皮革で形成された細長い板体２の内面に板体２より軟らかい板体２と同形の保護材３が貼着されている。
保持具本体１の板体２は、一端側２ａより他端側２ｂが内側を向いて途中がＵ字状に湾曲して湾曲部２ｃが形成されている。
保護材３は発泡ウレタンなどの発泡合成樹脂、クロロプレンゴムなどの発泡ゴム等で形成されている。
保持具本体１の湾曲部２ｃの対向側の開口が釣り竿挿入口ａとなる。
保持具本体１の板体２の一端側２ａの内側となる保護材３の内側にはオスの面貼着材４が固定されている。
保持具本体１の板体２の他端側２ｂの外側にはメスの面貼着材５が固定されて面貼着材４と係合可能である。
保持具本体１の板体２と保護材３の適所には釣り竿の釣糸ガイドを外側に突出させる為の挿通孔１ａが穿設されている。
【実施例１】
【００１０】
以下、図示の一実施例によって本発明を説明すると、図１は釣り竿が釣り竿保持具で束ねられた斜視図、図２は釣り竿保持具の斜視図、図３は釣り竿保持具の拡大平面図である。
【００１１】
釣り竿保持具は、保持具本体１が可撓性を有する合成樹脂や皮革で形成された細長い板体２の内面に板体２より軟らかい板体２と同形の保護材３が貼着されている。
保持具本体１の板体２は、一端側２ａより他端側２ｂが内側を向いて途中がＵ字状に湾曲して湾曲部２ｃが形成されている。
保護材３は発泡ウレタンなどの発泡合成樹脂、クロロプレンゴムなどの発泡ゴム等で形成されている。
保持具本体１の湾曲部２ｃの対向側の開口が釣り竿挿入口ａとなる。
保持具本体１の板体２の一端側２ａの内側となる保護材３の内側にはオスの面貼着材４が固定されている。
保持具本体１の板体２の他端側２ｂの外側にはメスの面貼着材５が固定されて面貼着材４と係合可能である。
保持具本体１の板体２と保護材３の適所には釣り竿の釣糸ガイドを外側に突出させる為の挿通孔１ａが穿設されている。
【００１２】
釣り竿保持具で束ねられた釣り竿６、６′、６″が保持される時は、一方の手の中に保持具本体１の湾曲部２ｃの外側を入れて、手の指を一端側２ａと他端側２ｂに当てて掴み、他方の手で釣り竿６、６′、６″を束ねて掴んで釣り竿挿入口ａから湾曲部２ｃの内側に押し込んで、手の指で他端側２ｂと一端側２ａを押してメスの面貼着材５の外側にオスの面貼着材４を係合することで釣り竿保持具で束ねられた釣り竿６、６′、６″が保持される。
釣り竿の釣糸ガイド７を外側に突出させる時は、挿通孔１ａに釣糸ガイド７を通して束ねられた釣り竿６、６′、６″を釣り竿保持具で保持する。
【００１３】
釣り竿保持具が前記のように使用されると、束にした釣り竿６、６′、６″が保持具本体１の湾曲部２ｃの中に入れられて保持される時に、一方の手の中に湾曲部２ｃの外側を入れて、手の指を一端側２ａと他端側２ｂに当てて掴み、束ねられた釣り竿６、６′、６″が湾曲部２ｃの中に入れられた後メスの面貼着材５の外側にオスの面貼着材４が係合されるように一端側２ａと他端側２ｂを押し込めばよいので保持操作が容易である。
即ち、釣り竿挿入口ａから束にした釣り竿６、６′、６″を挿入して釣り竿保持具を外側から握持するだけで複数の釣り竿を容易に保持出来る。
釣り竿保持具は一端側２ａより他端側２ｂが内側を向いて湾曲形成されているため、釣り竿保持具の両端が突き当たらずに、釣り竿に巻き付いて容易に取り付けることが出来る。
保持具本体１は釣り竿の釣糸ガイド７の挿通孔１ａを有しているため、釣り竿への取り付け時に釣り竿の釣糸ガイド７の挿通孔１ａに釣糸ガイド７を挿通することで移動が規制でき確実に釣り竿を保持できる。
束ねられた釣り竿は保持具本体１が緩むことがないので脱落することがない。
【００１４】
前記のように釣り竿保持具が構成されると、釣り竿挿入口ａから束ねられた釣り竿６、６′、６″を挿入して釣り竿保持具を外側から握持するだけで釣り竿を容易に保持出来る。
釣り竿保持具は一端側２ａより他端側２ｂが内側を向いて湾曲形成されているため、釣り竿保持具の両端が突き当たらずに、釣り竿に巻き付いて容易に取り付けることが出来る。
保持具本体１は釣り竿の釣糸ガイド７の挿通孔１ａを有しているため、釣り竿への取り付け時に釣り竿の釣糸ガイド７の挿通孔１ａに釣糸ガイド７を挿通することで移動が規制でき確実に釣り竿を保持できる。
【符号の説明】
【００１５】
１  保持具本体
１ａ  挿通孔
２  板体
２ａ  一端側
２ｂ  他端側
３  保護材
６、６′、６″  束ねられた釣り竿
４、５  面貼着材
ａ  釣り竿挿入口
【図１】
2010193867.tif 000003
【図２】
2010193867.tif 000004
【図３】
2010193867.tif 000005